(57)【要約】  除細動器パドルアセンブリを使用可能にするシステム及び方法が開示される。本開示の除細動器パドルアセンブリは、心尖パドル及び胸骨パドルを含む。本開示の方法は、患者の心尖上に前記心尖パドルを配置するステップと、患者の胸骨上に前記胸骨パドルを配置するステップと、接触インジケータにより、前記患者の皮膚と前記除細動器パドルアセンブリとの間の接触の度合いを決定するステップと、１以上のショックボタンにより、前記患者の心停止を治療するために前記患者の身体に対してショックを与えるステップとを含む。
2019512332.tif 000002
【特許請求の範囲】
【請求項１】
心尖ショックボタンを含む心尖パドルと、
胸骨ショックボタンを含む胸骨パドルと、
前記心尖パドルのインピーダンスの度合い及び前記胸骨パドルのインピーダンスの度合いの少なくとも一方を示すように動作可能な少なくとも１つの接触インジケータと、
を有する除細動器パドルアセンブリ。
【請求項２】
前記心尖パドルのインピーダンスの度合いが、前記心尖パドルと患者の心尖との間の接触の度合いを表し、
前記胸骨パドルのインピーダンスの度合いが、前記胸骨パドルと患者の胸骨との間の接触の度合いを表す、
請求項１に記載の除細動器パドルアセンブリ。
【請求項３】
前記少なくとも１つの接触インジケータが、前記心尖パドルに配置される、
請求項１に記載の除細動器パドルアセンブリ。
【請求項４】
前記少なくとも１つの接触インジケータが、前記心尖パドルのインピーダンスの度合いを示す変化する光強度を発するように動作可能な発光アセンブリを含む、
請求項３に記載の除細動器パドルアセンブリ。
【請求項５】
前記発光アセンブリの前記変化する光強度が、前記胸骨パドルのインピーダンスの度合いを更に示す、
請求項４に記載の除細動器パドルアセンブリ。
【請求項６】
前記少なくとも１つの接触インジケータが、前記胸骨パドルに配置される、
請求項１に記載の除細動器パドルアセンブリ。
【請求項７】
前記少なくとも１つの接触インジケータが、前記胸骨パドルのインピーダンスの度合いを示す変化する光強度を発するように動作可能な発光アセンブリを含む、
請求項６に記載の除細動器パドルアセンブリ。
【請求項８】
前記発光アセンブリの前記変化する光強度が、前記心尖パドルのインピーダンスの度合いを更に示す、
請求項７に記載の除細動器パドルアセンブリ。
【請求項９】
前記心尖パドルが、充電ボタンを含む、
請求項１に記載の除細動器パドルアセンブリ。
【請求項１０】
前記胸骨パドルが、充電ボタンを含む、
請求項１に記載の除細動器パドルアセンブリ。
【請求項１１】
前記心尖パドルが、前記患者の心尖上に前記心尖パドルを配置する命令を持つ心尖ラベルを含む、
請求項１に記載の除細動器パドルアセンブリ。
【請求項１２】
前記胸骨パドルが、前記患者の胸骨上に前記胸骨パドルを配置する命令を持つ胸骨ラベルを含む、
請求項１に記載の除細動器パドルアセンブリ。
【請求項１３】
前記心尖パドルが、
幼児／子供用電極と、
大人用電極を構成するように前記幼児／子供用電極に接続可能な追加電極と、
を含む、請求項１に記載の除細動器パドルアセンブリ。
【請求項１４】
前記胸骨パドルが、
幼児／子供用電極と、
大人用電極を構成するように前記幼児／子供用電極に接続可能な追加電極と、
を含む、請求項１に記載の除細動器パドルアセンブリ。
【請求項１５】
前記心尖パドルが、心尖ショックボタンを含み、
前記胸骨パドルが、胸骨ショックボタンを含む、
請求項１に記載の除細動器パドルアセンブリ。
【請求項１６】
患者の心停止治療において使用される心尖パドル及び胸骨パドルを含む除細動器パドルアセンブリを使用可能にする方法において、
患者の心尖上に前記心尖パドルを配置するステップと、
患者の胸骨上に前記胸骨パドルを配置するステップと、
前記除細動器パドルアセンブリの接触インジケータにより、前記患者の皮膚と前記除細動器パドルアセンブリとの間の接触の度合いを決定するステップと、
を有する方法。
【請求項１７】
前記心尖パドルが、前記心尖パドルにより提供される命令に基づいて前記患者の心尖上に配置され、
前記胸骨パドルが、前記胸骨パドルにより提供される命令に基づいて前記患者の胸骨上に配置される、
請求項１６に記載の方法。
【請求項１８】
前記接触インジケータによるハイ状態の標示に応答して前記除細動器パドルアセンブリの充電ボタン及び１以上のショックボタンを作動するステップと、
前記作動された充電ボタンにより、前記除細動器パドルアセンブリを充電するステップと、
前記１以上の作動されたショックボタンにより、前記患者の心停止を治療するために前記患者の身体にショックを与えるステップと、
を有する、請求項１６に記載の方法。
【請求項１９】
前記患者の心尖における前記心尖パドルの配置及び前記患者の胸骨における前記胸骨パドルの配置の前に、前記心尖パドル及び前記胸骨パドルの各々に対して、大人用電極が、幼児／子供用電極に接続される、請求項１６に記載の方法。
【請求項２０】
前記患者の心尖における前記心尖パドルの配置及び前記患者の胸骨における前記胸骨パドルの配置の前に、前記心尖パドル及び前記胸骨パドルの各々に対して、大人用電極が、幼児／子供用電極から分離される、請求項１６に記載の方法。
【発明の詳細な説明】
【技術分野】
【０００１】
本開示は、心停止のような心臓不活発を経験している患者を治療するシステム及び方法に関する。
【背景技術】
【０００２】
心室細動及び心不整脈は、心停止を生じる可能性のある生命を脅かす心臓の状態である。心肺蘇生（ＣＰＲ）とは別に、心臓を正常な機能状態に戻す最も効果的な方法の１つは、除細動器を使用して人の身体に突発的な強力な電気ショックを与えることである。適時の除細動は、心臓の正常な収縮リズムを再確立する機会を改善する。
【０００３】
米国特許出願第２０１４／０００５７３７号は、除細動器を使用するための適切な手順でユーザをガイドするのに役立つ番号付けスキームを開示している。この手順は、エネルギの量を選択し、回路を充電し、患者に電気ショックを与えることを含む。英国特許出願第２０８５５９３号は、除細動器パドルと患者の皮膚との間の電気的接触が不十分である場合にアラームが作動するシステムを開示している。このシステムは、また、閾値が超過される場合に、除細動器の制御パネル上のインジケータライトを介してユーザに警告する。
【発明の概要】
【発明が解決しようとする課題】
【０００４】
本開示は、心停止のような心臓不活発を経験している患者を治療するシステム及び方法に関する。
【課題を解決するための手段】
【０００５】
本開示のシステムは、心尖（apex）パドル、胸骨（sternum）パドル、及び接触インジケータを含む除細動器パドルアセンブリを有する。前記接触インジケータは、患者の皮膚と前記除細動器パドルアセンブリとの間の接触の度合いに依存して変化する強度の光を発する。また、前記心尖パドル及び胸骨パドルの両方が、大人及び幼児／子供のような異なる体格を持つ患者に対して使用する調節可能なサイズの電極を持つ。本開示は、また、心停止のような心臓不活発を経験している患者を治療するシステムにも関し、前記システムは、心臓の正常な機能を回復するために患者の心臓を通過する電流を送る心尖パドル及び胸骨パドルで構成される除細動器パドルアセンブリを有する。
【０００６】
本開示の方法は、心尖ラベル及び胸骨ラベルにより提供される命令に基づいて前記心尖パドル及び前記胸骨パドルを患者の身体に配置するステップを有する。１以上の順序ラベル（「１」、「２」＆「３」）が、前記除細動器パドルアセンブリを使用するステップの順序を示すように前記心尖パドル及び前記胸骨パドル上に配置される。
【０００７】
本開示の発明の更なる理解を提供するように含められる添付の図面は、本開示の発明の実施例を示すようにここに組み込まれる。記載に沿って、これらは、本開示の発明の原理を説明するように機能する。
【図面の簡単な説明】
【０００８】
【図１】患者の心停止治療において使用される本開示の発明の原理による除細動器パドルアセンブリを示す。
【図２】本開示の発明の原理による患者の心停止治療において使用される除細動器パドルアセンブリを使用可能にする典型的なフローチャートを示す。
【図３】本開示の発明の原理による患者に対する予期しないショックを防ぐようにディアクティベータを実施する典型的なフローチャートを示す。
【図４Ａ】本開示の発明の原理による接触インジケータ及びマーカの典型的な実施例を示す。
【図４Ｂ】本開示の発明の原理による接触インジケータ及びマーカの典型的な実施例を示す。
【図４Ｃ】本開示の発明の原理による接触インジケータ及びマーカの典型的な実施例を示す。
【図５】本開示の発明の原理による患者の身体に対する除細動器パドルアセンブリの正確な配置を示すラベルの典型的な実施例を示す。
【図６】本開示の発明の原理による除細動器パドルアセンブリの典型的な実施例を示す。
【図７】本開示の発明の原理による幼児／子供用電極からの大人用電極の典型的な分離を示す。
【図８】本開示の発明の原理による除細動器の典型的な実施例を示す。
【発明を実施するための形態】
【０００９】
以下は、本開示の様々な実施例において使用される用語の定義である。
【００１０】
ここで使用される用語「除細動器」は、例えば心室細動を経験している心臓を回復するために電極を使用して心臓の電気ショックを与える電子装置を指す。
【００１１】
ここで使用される用語「パドル」は、ポートを介して除細動器に接続され、これにより電極を介して患者にエネルギを与えるアクセサリを指す。
【００１２】
ここで使用される用語「電極」は、患者に、又は装置を試験する、トレーニング、シミュレーション及び／又はデモンストレーションのために構成、設定及び使用されうるような他のインピーダンスに電気ショックを与えることを可能にするように患者の皮膚との接触を確立するのに使用される導電体を指す。
【００１３】
ここで使用される用語「心尖」は、胸筋の真下及び左側に位置する身体の部分を指す。
【００１４】
ここで使用される用語「胸骨」は、患者の右上の胴体における鎖骨の下に位置する身体の部分を指す。
【００１５】
ここで使用される用語「大人用電極」は、主に大人に、及び副次的に大人の身体的寸法を持つ子供に電気ショックを与える前記除細動器パドルアセンブリの部分を指す。
【００１６】
ここで使用される用語「幼児／子供用電極」は、主に幼児／子供に、副次的に子供の身体的寸法を持つ大人に電気ショックを与える前記除細動器パドルアセンブリの部分を指す。
【００１７】
ここで使用される用語「順序ラベル」は、例えば、前記除細動器パドルアセンブリを使用するステップの順序（「１」、「２」＆「３」）を示すのに使用されるインジケータ又はマーカのようなラベルを指す。
【００１８】
ここで使用される用語「心尖ラベル」は、身体の心尖部分を示すのに使用されるインジケータ又はマーカのようなラベルを指す。
【００１９】
ここで使用される用語「胸骨ラベル」は、身体の胸骨部分を示すのに使用されるインジケータ又はマーカのようなラベルを指す。
【００２０】
ここで使用される用語「接触インジケータ」は、患者の胸部に対して保持される場合に前記パドルのインピーダンスの度合いを示すのに使用されるＬＥＤ及び他の表示装置のようなインジケータを指す。これは、患者の皮膚と前記除細動器パドルアセンブリのパドルとの間の接触の度合いを表す。
【００２１】
ここで使用される用語「ロー状態」は、前記除細動器パドル及び患者の皮膚が不十分な接触又は接続性を持つ前記除細動器パドルアセンブリの状態を指す。
【００２２】
ここで使用される用語「ハイ状態」は、前記除細動器パドル及び患者の皮膚が良好な接触又は接続性を持つ前記除細動器パドルアセンブリの状態を指す。
【００２３】
ここで使用される用語「ディアクティベータ（deactivator）」は、患者又は他のインピーダンスに早まった電気ショック供給を防ぐための充電ボタン及び１以上のショックボタンの活性化及び不活性化を制御するのに使用される電子コンポーネント又は回路を指す。
【００２４】
ここで使用される用語「湿度センサ」は、周囲の湿度又は濡れ状態を決定するタイプのセンサを示す。
【００２５】
本開示は、除細動器パドルアセンブリに関し、前記除細動器パドルアセンブリは、患者の心臓を通過する電気ショックを与える心尖パドル及び胸骨パドルと、前記心尖パドル及び前記胸骨パドルを前記患者の身体上に正確に配置するためにマーカとして機能する前記心尖パドル上の心尖ラベル及び前記胸骨パドル上の胸骨ラベルと、前記除細動器パドルアセンブリを使用するステップの順序を示す前記心尖パドル及び前記胸骨パドルの両方に配置された１以上の順序ラベルと、前記心尖パドル及び／又は前記胸骨パドル上に配置された接触インジケータと、幼児／子供用電極に接続又は分離されることができる取り外し可能な大人用電極とを有する。
【００２６】
本開示は、心停止を治療するのに使用される除細動器パドルアセンブリを使用可能にする方法にも関し、前記方法は、心尖ラベルにより提供される命令に基づいて患者の心尖上に心尖パドルを配置するステップと、胸骨ラベルにより提供される命令に基づいて患者の胸骨上に胸骨パドルを配置するステップと、接触インジケータにより、前記患者の皮膚と前記除細動器パドルアセンブリとの間の接触の度合いを決定するステップと、充電ボタンにより、前記除細動器パドルアセンブリを充電するステップと、１以上のショックボタンにより、例えば、不整脈又は心室細動を治療するために前記患者の身体に電気ショックを与えるステップとを有する。
【００２７】
図１に示される本開示の好適な実施例において、除細動器パドルアセンブリ１００は、心尖パドル１０２と、ワイヤコネクタ１０８を介して心尖パドル１０２に配置されたノード１０６を通って接続された胸骨パドル１０４と、除細動器メインユニット（図示されない）に接続又は分離する除細動器パドルアセンブリ１００のクイック接続コネクタ１１０とを有する。心尖パドル１０２及び胸骨パドル１０４の両方が、患者の身体又は他のインピーダンスに電気ショックを与える電極１１２ａ及び１１２ｂ、幼児／子供用又は大人用、を持つ。
【００２８】
心尖パドル１０２は、除細動器パドルアセンブリ１００の使用上の命令を提供する１以上の順序ラベルを更に有する。第１の順序ラベルは、充電ボタン１１４に配置され、充電ボタン１１４は、前記除細動器パドルアセンブリを充電するのに使用される。第２の順序ラベルは、少なくとも２つのショックボタン１１６の１つに配置され、ショックボタン１１６は、前記患者の身体に電気ショックを与えるのに使用される。胸骨パドル１０４は、患者の皮膚と心尖パドル１０２及び胸骨パドル１０４との間の接触の度合いを示すのに使用される接触インジケータ１１８を更に有する。胸骨パドル１０４も、前記患者の身体又は他のインピーダンスに電気ショックを与えるのに使用される少なくとも２つのショックボタン１１６ａ及び１１６ｂの他方に配置される順序ラベルを含む。
【００２９】
図１に示される本開示の好適な実施例に加えて、心尖パドル１０２に配置された充電ボタン１１４並びに心尖パドル１０２及び胸骨パドル１０４の両方のショックボタン１１６ａ及び１１６ｂは、除細動器パドルアセンブリ１００を使用するステップの順序を示す光インジケータを持つ。更に、接触インジケータ１１８は、好ましくは、胸骨パドル１０４の左上の隅に配置され、これにより、ユーザの視野は、ショックを活性化する間にブロックされない。接触インジケータ１１８は、「ロー」状態から「ハイ」状態又は接触の度合いまでの範囲を取る前記患者の皮膚と心尖パドル１０２及び胸骨パドル１０４との間の接触の度合いを示すように光強度変化を示す。薄暗い光は、接触の不十分な状態を示すのに対し、明るい光は、接触の良好な状態を示す。接触インジケータ１１８は、「ロー」状態を示す赤色から「ハイ」状態又は接触の度合いを示す緑色までの範囲を取る前記患者の皮膚と心尖パドル１０２及び胸骨パドル１０４との間の接触の度合いを示すように異なる色を示してもよい。
【００３０】
代替的な実施例において、接触インジケータ１１８は、心尖パドル１０２の右上隅に配置されてもよく、充電ボタン１１４は、胸骨パドル１０４に配置されてもよい。同時に、接触インジケータ１１８は、心尖パドル１０２及び胸骨パドル１０４の両方に配置されてもよく、充電ボタン１１４は、心尖パドル１０２及び胸骨パドル１０４の両方に配置されてもよい。
【００３１】
図２は、本開示の好適な方法を示す。例えば、心停止に苦しむ患者に関与する、緊急の場合、ユーザは、心尖ラベルにより提供される命令に基づいて前記患者の心尖上に心尖パドル（例えば図１の心尖パドル１０２）を配置する（ステップ２００）。この後に、前記ユーザは、胸骨ラベルにより提供される命令に基づいて前記患者の胸骨上に胸骨パドル（例えば図１の胸骨パドル１０４）を配置する（ステップ２０２）。代わりに、実際には、前記心尖パドルが、前記患者の胸骨上に配置されてもよく（ステップ２００）、前記胸骨パドルが、前記患者の心尖上に配置されてもよい（ステップ２０２）。
【００３２】
接触インジケータ（例えば図１の接触インジケータ１１８）により示される接触の度合いは、前記患者の皮膚と前記心尖及び胸骨パドルとの間の接触の度合いを測定することにより決定される（ステップ２０４）。前記接触インジケータは、好ましくは、「ロー」状態若しくは不十分なパドル‐皮膚接触に対して薄暗い光、又は「ハイ」状態若しくは良好なパドル‐皮膚接触に対して明るい光を示す変化する光強度を持つＬＥＤのような光インジケータを持つ。前記接触インジケータが、「ハイ」状態を示す場合、前記ユーザは、前記除細動器パドルアセンブリを充電するために前記心尖パドルの前記充電ボタンを押す（ステップ２０６）。充電後に、前記ユーザは、次いで、心臓の正常な収縮を再確立するように前記患者の心臓を通る必要な電気ショックを与えるように前記心尖パドル及び前記胸骨パドルの両方に配置された前記ショックボタンを同時に押す（ステップ２０８）。前記心尖パドル及び前記胸骨パドルの両方の前記ショックボタンを同時に押すことは、前記患者に対する予期しないショックを防ぐように安全機構として機能する。前記電気ショックは、前記ユーザが２つのショックボタンの一方を偶然に押したとしても作動せず、したがって前記除細動器により引き起こされる火傷のような患者に対する損傷を防ぐ。
【００３３】
図３は、本開示の典型的な実施例の方法を示す。ユーザは、前記除細動器パドルが、患者の体格、大人又は幼児／子供に基づく値にプリセットされることを確認する（ステップ３００）。接触インジケータは、前記患者の皮膚と除細動器パドルアセンブリとの間の接触の度合いを決定する（ステップ３０２）。前記接触インジケータは、光強度変化を使用して接触の「ロー」状態又は「ハイ」状態を示す（ステップ３０４）。前記接触インジケータが、「ロー」状態の接触の度合いを示す場合、前記ユーザは、前記除細動器パドルアセンブリを再配置する及び／又は前記患者の皮膚と前記除細動器パドルアセンブリとの間の十分な導通を得るために前記電極に特別な導電性ゲルを塗布する（ステップ３０６）。一度前記接触インジケータが、「ハイ」状態又は接触の度合いを示すと（ステップ３０４）、前記ユーザは、前記除細動器パドルアセンブリに関与する充電及びショックステップを実行する（ステップ３１０）。
【００３４】
図４Ａ−４Ｃは、本開示の典型的な実施例を示す。図４Ａは、好ましくは「ＰＨＩＬＩＰＳ１０７１３」色の「３」順序ラベル４１６ｂを持つ胸骨パドル１０４を示す。接触インジケータ１１８は、１以上のＬＥＤ（好ましくは１０のＬＥＤ）を含み、好ましくは「ＰＡＮＴＯＮＥ３５４Ｃ緑」色の「ハイ」状態ラベル４１８と、好ましくは「ＰＡＮＴＯＮＥ１７９Ｃ赤」色の「ロー」状態ラベルを更に含む。図４Ｂに示される本開示の他の実施例において、心尖パドル１０２は、好ましくは「ＰＨＩＬＩＰＳ１０７１３ダークグレイ」の「３」順序ラベル４１６ａを持つ。また、図４Ａに示されるのは、胸骨パドル１０４のショックボタン１１６ｂである。また、図４Ｂに示されるのは、心尖パドル１０２の充電ボタン１１４及びショックボタン１１６ａである。図４Ｃは、他方で、充電ボタン１１４に配置され、好ましくは「ＰＨＩＬＩＰＳ１０７１３ダークグレイ」の「２」順序ラベル４１４を示す。
【００３５】
図５は、本開示の他の典型的な実施例を示す。心尖ラベル５０２ａ及び胸骨ラベル５０４ａは、患者の身体上の前記心尖パドル及び前記胸骨パドルの好適な位置を示す。心尖ラベル５０２ａ上に配置された画像５０２ｂは、前記患者の心尖上の前記心尖パドルの好適な位置又は配置を示す。また、胸骨ラベル５０４ａに配置された画像５０４ｂは、前記患者の胸骨上の前記胸骨パドルの好適な配置を示す。加えて、図５において、画像５２０ａは、好ましくは、「ＰＡＮＴＯＮＥ１７９Ｃ赤」色を持ち、画像５２０ｂは、好ましくは、「ＰＡＮＴＯＮＥ１７９Ｃ赤」色を持ち、画像５２２は、好ましくは、「ＰＨＩＬＩＰＳ１０７１３ダークグレイ」色を持つ。
【００３６】
本開示の他の実施例において、前記接触インジケータは、作動される場合に前記患者の皮膚と前記除細動器パドルアセンブリとの間の接触の度合いに依存して変化する光強度を発する複数のＬＥＤライトを有する。例えば、前記接触インジケータは、３つの赤色ＬＥＤ、３つの黄色ＬＥＤ及び４つの緑色ＬＥＤをも含む１０のＬＥＤからなる。この場合、１０のＬＥＤのグループから１つの赤色ＬＥＤのみを作動することは、「ロー」接触状態に対応するようにセットされることができる。他方で、１０のＬＥＤ全てが作動された接触インジケータは、前記患者の皮膚と前記除細動器パドルアセンブリとの間の接触の「ハイ」状態に対応するように選択されることができる。本開示の他の実施例において、前記心尖及び胸骨パドルは、各々、前記患者の皮膚と前記除細動器パドルとの間の接触の度合いを示す接触インジケータを持つ。独自の接触インジケータを持つ前記心尖及び胸骨パドルを用いて、前記ユーザは、したがって、前記患者に対する前記除細動器の適切な使用を保証するように前記パドルのいずれか又は両方に対する必要な調節を行うことができる。
【００３７】
本開示の高度に好適な実施例は、異なる身体タイプを持つ患者に対する前記アセンブリの使用を可能にするように前記除細動器パドルアセンブリに対する調節可能なサイズの電極を提供する。したがって、本開示は、例えば、より小さなサイズの幼児／子供用電極から追加電極を分離することにより、より小さなサイズの幼児／子供用電極に変換されることができる前記心尖パドル及び胸骨パドルの各々における、より大きなサイズの大人用電極を提供する。したがって、子供が突然心停止を経験する場合、ユーザは、単純に前記より小さなサイズの電極から前記追加の電極を分離することにより正しい電極サイズで除細動を実行することができる。患者が通常の体格を持つ大人である場合、前記電極は、単純に前記より小さなサイズの電極に前記追加の電極を接続又は再接続することにより前記より大きなサイズの大人用電極に変換又は再変換されることができる。
【００３８】
図６は、充電ボタン６０１、適切な心尖パドル配置アイコン６０２、ショックボタン６０３、幼児／子供用電極６０４及び大人用電極６０５を持つ心尖パドル６００を示す。図６に示されるように、幼児／子供用電極６０４及び大人用電極６０５は、ばねコネクタ６０６を介して接続される。図７は、矢印によりシンボル化されるように幼児／子供用電極６０４からの大人用電極６０５の分離を可能にし、これにより幼児／子供用電極６０４の排他的な使用を提供するばねコネクタ６０６の典型的な作動を示す。
【００３９】
図６は、接触インジケータ６１１、適切な胸骨パドル配置アイコン６１２、ショックボタン６１３、幼児／子供用電極６１４及び追加電極６１５を持つ胸骨パドル６１０を更に示す。図６に示されるように、幼児／子供用電極６１４及び大人用電極６１５は、ばねコネクタ６１６を介して接続される。図７に示されるように心尖パドル６００と同様に、ばねコネクタ６１６は、幼児／子供用電極６１４からの大人用電極６１５の分離を可能にし、これにより幼児／子供用電極６１４の排他的な使用を提供するように作動されうる。
【００４０】
本開示の他の実施例において、追加の安全対策が、医療関係者に対する予期しないショックを防ぐために実施される。高湿度環境において、予期しない電気ショックは、前記患者だけではなく、前記患者の近くにいる医療関係者又は他の人にも付与されうる。本開示の除細動器パドルアセンブリに湿度センサを組み込むことは、非患者に対する意図されない電気ショックの可能性を最小化することができる。好ましくは、前記湿度センサは、周囲の湿度又は水分量がプリセット閾値を超過する場合に、前記除細動器パドルアセンブリの前記充電及びショックボタンを不活性化するようにディアクティベータに信号を送信する。好ましくは、湿度センサは、２つの除細動器パドルの少なくとも一方に導入される。
【００４１】
図８は、胸骨パドル７８０及び心尖パドル７８１を持つ除細動器７００を示す。除細動器７００の基部は、パドル７８０及び７８１に対するコネクタポート７７０、及びユーザ制御パネル７１５を含む。パドル７８０及び７８１の接続を含む除細動器７００の状態に関するメッセージが、オプションのディスプレイ７０５に表示されてもよい。
【００４２】
ユーザ制御パネル７１５は、除細動器高エネルギ回路を充電及び放電することに関連して制御部に隣接して配置されたグラフィック及びテキストラベリングインディシウム（indicia）を含む。より具体的には、図８は、「エネルギ選択」７１６、「充電」７１７、又は「ショック」７１８のような、それぞれの制御部の隣に配置されたテキスト標示の使用を示す。代わりに、１−２−３番号付けスキームは、救助のステップの適切な実行において前記ユーザをガイドすることを助けるようにユーザ制御パネル７１５上に示されてもよい。したがって、エネルギを選択する第１のステップは、「１」ラベルにより示されてもよく、前記高エネルギ回路を充電する第２のステップは、「２」ラベルにより示されてもよく、前記ショックを与える第３のステップは、「３」ラベルにより示されてもよく、各々は、それぞれの制御部に隣接して表れる。
【００４３】
胸骨パドル７８０及び心尖パドル７８１は、標準的な前部‐前部（Ａ−Ａ、anterior-anterior）位置において前記患者の胸部に対してそれぞれの電極を押し付けることにより採用される。内部の除細動器高エネルギ回路（図示されない）は、充電ボタン７４１を押すことにより充電される。除細動器７００が、完全に充電され、ショックの準備ができている場合、ショックボタン７２２及び７４２が、点滅する。次いで、前記患者との良好な電気的接触が、接触インジケータ７２１により示されるように確立される場合、前記ユーザは、治療を与えるように両方のショックボタン７２２及び７４２を同時に押す。追加の安全対策として、胸骨パドル７８０は、湿度センサ（図示されない）を含んでもよく、及び／又は心尖パドル７８１は、湿度センサ（図示されない）を含んでもよい。
【００４４】
本開示は、上に記載された本発明のいくつかの典型的な実施例に制限されることを意図されない。当業者により想定されうる他の変形例は、本開示内に入ると意図される。
【図１】
2019512332.tif 000003
【図２】
2019512332.tif 000004
【図３】
2019512332.tif 000005
【図４Ａ】
2019512332.tif 000006
【図４Ｂ】
2019512332.tif 000007
【図４Ｃ】
2019512332.tif 000008
【図５】
2019512332.tif 000009
【図６】
2019512332.tif 000010
【図７】
2019512332.tif 000011
【図８】
2019512332.tif 000012
【国際調査報告】
2019512332.tif 000013
2019512332.tif 000014
2019512332.tif 000015
2019512332.tif 000016